(57)【要約】【課題】２系統以上の複数の管を交差させなければならない場合に、省スペースで、かつ見栄えの良い配管を容易に行うことが可能な配管ユニットの提供。【解決手段】ストレート管５１ａ，５１ｂ，５２ａ，５２ｂ，５３，５４および変形チーズ管５５，５６と、これらのすべてを収容するボックス５０と、ストレート管５１ａ，５２ａに接続され、ボックス５０の第１の端面に設けられた管接続部５７ａと、ストレート管５１ｂ，５２ｂに接続され、ボックス５０の第１の端面と異なる第２の端面に設けられた管接続部５７ｂと、ストレート管５３，５４に接続され、ボックス５０の第１の端面および第２の端面と異なる第３の端面に設けられた管接続部５７ｃとを備え、変形チーズ管５５，５６は、各変形チーズ管５５，５６の流路断面積を確保した扁平な流路部５５ａ，５６ａを有し、この扁平な流路部５５ａ，５６ａにおいて立体交差させたものである。【選択図】        図３
2004332870.tif 000002
【特許請求の範囲】
【請求項１】
少なくとも２系統の管と、
前記管のすべてを収容するボックスと、
前記管に接続され、前記ボックスの第１の面に設けられた第１の管接続部と、
前記管に接続され、前記ボックスの前記第１の面と異なる第２の面に設けられた第２の管接続部とを備え、
前記管は、各管の流路断面積を確保した扁平な流路部を有し、この扁平な流路部において立体交差させたものである
配管ユニット。
【請求項２】
前記管の少なくとも１系統はＴ字状に分岐した管であり、
この管に接続された第３の管接続部が前記ボックスの前記第１の面および第２の面と異なる第３の面に設けられた
請求項１記載の配管ユニット。
【請求項３】
前記第１の管接続部と第２の管接続部の配置が互い違いである請求項１記載の配管ユニット。
【発明の詳細な説明】
【０００１】
【発明の属する技術分野】
本発明は、給排水設備における給水管と給湯管等のように２系統以上の複数の管を並べて配設する際に用いる配管ユニットに関する。
【０００２】
【従来の技術】
給排水設備における給水管と給湯管等のように２系統以上の管を、屋内外の壁際や基礎周り等に並べて設ける場合、必然的に両者の管を交差させなければならない状態が発生する。このとき、従来では、特許文献１に記載のように、エルボやニップル等によって管をコ字状にして立体交差させるか、中央を円弧状に形成した継手を用いて立体交差させている。
【０００３】
【特許文献１】
特開平８−３５５９０号公報（第３頁、図１−２）
【０００４】
【発明が解決しようとする課題】
特許文献１に記載のように２系統の管を立体交差させて設置する場合、少なくとも管口径の２倍の立体交差スペースが必要となる。また、このように立体交差した２系統の管が露出していると非常に見栄えが悪い。
【０００５】
そこで、本発明においては、２系統以上の複数の管を交差させなければならない場合に、省スペースで、かつ見栄えの良い配管を容易に行うことが可能な配管ユニットを提供する。
【０００６】
【課題を解決するための手段】
本発明の配管ユニットは、少なくとも２系統の管と、前記管のすべてを収容するボックスと、前記管に接続され、ボックスの第１の面に設けられた第１の管接続部と、前記管に接続され、ボックスの第１の面と異なる第２の面に設けられた第２の管接続部とを備え、前記管は、各管の流路断面積を確保した扁平な流路部を有し、この扁平な流路部において立体交差させたものである。
【０００７】
本発明の配管ユニットによれば、複数の管を、各管の流路断面積を確保した扁平な流路部において立体交差させたことによって、各管を流れる水や湯等の液体の流れに影響を及ぼすことなく、複数の管の立体交差の高さを低く抑えることができる。また、このように扁平な流路部において立体交差させた複数の管は、すべてボックス内に収容されており、このボックス内の配管を意識することなく、ボックスのそれぞれ異なる面に設けられた管接続部によって接続可能である。
【０００８】
【発明の実施の形態】
図１は本発明の実施の形態における配管ユニットを利用した配管例を示す概略図、図２は図１の配管の系統図である。
【０００９】
図１および図２に示す配管は、主に、水道メータ１から給湯器２まで配設された主給水管路１０と、給湯器２から主給水管路１０に並べて配設された主給湯管路２０とからなる。主給水管路１０および主給湯管路２０は、図１に示すダクト３０内に並列に収容されている。
【００１０】
主給水管路１０および主給湯管路２０から各部屋の混合栓３ａ，３ｂ，３ｃおよび水栓４までは、図２に示すように、配管ユニット５，６，７を介して配設された給水管路１１，１２，１３，１４および給湯管路２１，２２，２３により接続される。給水管路１１および給湯管路２１はダクト３１内に、給水管路１２および給湯管路２２はダクト３２内に、給水管路１３および給湯管路２３はダクト３３内に、給水管路１４はダクト３４内に、それぞれ収容される。
【００１１】
図３は配管ユニット５の詳細を示し、（ａ）は正面透視図、（ｂ）は右側面透視図である。
【００１２】
図３に示すように、配管ユニット５は、Ｔ字状断面を有するプラスチックス製のボックス５０内にストレート管５１ａ，５１ｂ，５２ａ，５２ｂ，５３，５４と変形チーズ管５５，５６のすべてを収容したものである。また、ボックス５０内の隙間には保温材（図示せず。）が埋め尽くしてある。変形チーズ管５５，５６は、Ｔ字状に分岐した管である。変形チーズ管５５は、ストレート管５１ａ，５１ｂ，５３の間に接続されている。変形チーズ管５６は、ストレート管５２ａ，５２ｂ，５４の間に接続されている。
【００１３】
ボックス５０は、Ｔ字状の三つの端面に、それぞれ管接続部５７ａ，５７ｂ，５７ｃを備える。管接続部５７ａ，５７ｂは、それぞれストレート管５１ａ，５１ｂを主給水管路１０に連結するための継手部品と、ストレート管５２ａ，５２ｂを主給湯管路２０に連結するための継手部品とからなる。管接続部５７ｃは、ストレート管５３を給水管路１１，１３に連結するための継手部品と、ストレート管５４を給湯管路２１，２３に連結するための継手部品とからなる。
【００１４】
変形チーズ管５５，５６は、互いに交差する部分に、それぞれ扁平な流路部（以下、「扁平流路部」と称す。）５５ａ，５６ａを有する。扁平流路部５５ａ，５６ａは、それぞれの変形チーズ管５５，５６の流路断面積を確保するように、変形チーズ管５５，５６のＴ字状を構成する平面に沿って平たく形成したものである。但し、扁平流路部５５ａ，５６ａは、図３（ｂ）に示すように、それぞれ相対する方向にオフセットさせてある。これにより、変形チーズ管５５，５６は違いに干渉することなく、扁平流路部５５ａ，５６ａで立体交差することになる。
【００１５】
このように、配管ユニット５は、主給水管路１０および主給湯管路２０に管接続部５７ａ，５７ｂを介して接続される変形チーズ管５５，５６を、各変形チーズ管５５，５６の流路断面積を確保した扁平流路部５５ａ，５６ａにおいて立体交差させたことによって、各変形チーズ管５５，５６を流れる水や湯等の液体の流れに影響を及ぼすことなく、変形チーズ管５５，５６の立体交差の高さを低く抑えることが可能となっている。図３の配管ユニット５のボックス５０では、主給水管路１０、主給湯管路２０、給水管路１１〜１４や給湯管路２１〜２３等の各管路が交差せずに並列に収容されたダクト３０〜３３や１系統の管路のみ収容されたダクト３４と同じ高さ（壁面からの取り付け高さ）である。
【００１６】
図４は配管ユニット６の詳細を示し、（ａ）は正面透視図、（ｂ）は右側面透視図である。
【００１７】
図４に示すように、配管ユニット６は、ボックス５０と同様のボックス６０内にストレート管６１ａ，６１ｂ，６２ａ，６２ｂ，６３と変形チーズ管６４と変形ストレート管６５のすべてを収容したものである。ボックス６０内の隙間には保温材（図示せず。）が埋め尽くしてある。変形チーズ管６４は、Ｔ字状に分岐した管である。変形チーズ管６４は、ストレート管６１ａ，６１ｂ，６３の間に接続されている。変形ストレート管６５は、ストレート管６２ａ，６２ｂの間に接続されている。
【００１８】
ボックス６０は、Ｔ字状の三つの端面に、それぞれ管接続部６６ａ，６６ｂ，６６ｃを備える。管接続部６６ａ，６６ｂは、それぞれストレート管６１ａ，６１ｂを主給水管路１０に連結するための継手部品と、ストレート管６２ａ，６２ｂを主給湯管路２０に連結するための継手部品とからなる。管接続部６６ｃは、ストレート管６３を給水管路１４に連結するための継手部品からなる。
【００１９】
変形チーズ管６４と変形ストレート管６５は、互いに交差する部分に、それぞれ扁平流路部６４ａ，６５ａを有する。扁平流路部６４ａ，６５ａは、それぞれ変形チーズ管６４、変形ストレート管６５の流路断面積を確保するように、変形チーズ管６４のＴ字状を構成する平面に沿って平たく形成したものである。但し、扁平流路部６４ａ，６５ａは、図４（ｂ）に示すように、それぞれ相対する方向にオフセットさせてある。これにより、変形チーズ管６４と変形ストレート管６５は違いに干渉することなく、扁平流路部６４ａ，６５ａで立体交差する。
【００２０】
このように、配管ユニット６においても、配管ユニット５と同様に、変形チーズ管６４および変形ストレート管６５を扁平流路部６４ａ，６５ａにおいて立体交差させたことによって、水や湯等の液体の流れに影響を及ぼすことなく、変形チーズ管６４および変形ストレート管６５の立体交差の高さを低く抑えることが可能となっている。この配管ユニット６のボックス６０も、ダクト３０，３１，３２，３３やダクト３４と同じ高さである。
【００２１】
図５は配管ユニット７の詳細を示し、（ａ）は正面透視図、（ｂ）は右側面透視図である。
【００２２】
図５に示すように、配管ユニット７は、長方形状断面を有するプラスチックス製のボックス７０内にストレート管７１ａ，７１ｂ，７２ａ，７２ｂと変形エルボ管７３，７４のすべてを収容したものである。ボックス７０内の隙間には保温材（図示せず。）が埋め尽くしてある。変形エルボ管７３は、ストレート管７１ａ，７１ｂの間に接続されている。変形エルボ管７４は、ストレート管７２ａ，７２ｂの間に接続されている。
【００２３】
ボックス７０は、相対する端面に、それぞれ管接続部７５ａ，７５ｂを備える。管接続部７５ａ，７５ｂは、それぞれストレート管７１ａ，７１ｂを給水管路１２に連結するための継手部品と、ストレート管７２ａ，７２ｂを給湯管路２２に連結するための継手部品とからなる。変形エルボ管７３，７４は、管接続部７５ａ，７５ｂの給水側と給湯側との配置が互い違いになるように曲げられた管である。
【００２４】
変形エルボ管７３，７４は、互いに交差する部分に、それぞれ扁平流路部７３ａ，７４ａを有する。扁平流路部７３ａ，７４ａは、それぞれ変形エルボ管７３，７４の流路断面積を確保するように、ストレート管７１ａ，７１ｂ，７２ａ，７２ｂの中心軸により構成される平面に沿って平たく形成したものである。但し、扁平流路部７３ａ，７４ａは、図５（ｂ）に示すように、それぞれ相対する方向にオフセットさせてある。これにより、変形エルボ管７３，７４は違いに干渉することなく、扁平流路部７３ａ，７４ａで立体交差する。
【００２５】
このように、配管ユニット７においても、配管ユニット５と同様に、変形エルボ管７３，７４を扁平流路部７３ａ，７４ａにおいて立体交差させたことによって、水や湯等の液体の流れに影響を及ぼすことなく、変形エルボ管７３，７４の立体交差の高さを低く抑えることが可能となっている。配管ユニット７のボックス７０も、ダクト３０，３１，３２，３３やダクト３４と同じ高さである。
【００２６】
以上のように、本実施形態における配管ユニット５，６，７を利用して配管を行えば、２系統以上の管を交差させなければならない場合であっても、主給水管路１０、主給湯管路２０、給水管路１１〜１４や給湯管路２１〜２３等のように各管路が交差せずに並列に収容されたダクト３０〜３３や１系統の管路のみ収容されたダクト３４と同じ高さで、省スペースな配管を行うことが可能である。
【００２７】
また、立体交差させた変形チーズ管５５，５６，６４、変形ストレート管６５や変形エルボ管７３，７４等は、すべてボックス５０，６０，７０内にそれぞれ収容されているため、いびつな形状である扁平流路部５５ａ，５６ａ，６４ａ，６５ａ，７３ａ，７４ａや、この扁平流路部５５ａ，５６ａ，６４ａ，６５ａ，７３ａ，７４ａの立体交差の状態などは外部から見えない。そのため、見栄え良く配管を行うことができる。
【００２８】
さらに、ボックス５０，６０，７０のそれぞれ異なる面に管接続部５７ａ，５７ｂ，５７ｃ，６６ａ，６６ｂ，６６ｃ，７５ａ，７５ｂが設けられているため、それぞれボックス５０，６０，７０内の配管を意識することなく、容易に配管を行うことができる。
【００２９】
なお、本実施形態においては、配管ユニット５，６，７は、給水側と給湯側との２系統の管を収容したものとして説明したが、本発明に係る配管ユニットは、さらに多くの系統の管を収容したものについても実施可能である。また、この配管ユニットは、リフォーム工事が増える状況にある建設事業において更新が必要な給排水管の交換に特に適しているが、給排水以外の配管についても適用できる。
【００３０】
【発明の効果】
本発明により、以下の効果を奏することができる。
【００３１】
（１）複数の管を、各管の流路断面積を確保した扁平な流路部において立体交差させたことによって、各管を流れる水や湯等の液体の流れに影響を及ぼすことなく、複数の管の立体交差の高さを低く抑えることができるため、省スペースな配管を行うことが可能となる。
【００３２】
（２）立体交差する複数の管がすべてボックス内に収容されているため、見栄えの良い配管を行うことが可能となる。
【００３３】
（３）ボックスのそれぞれ異なる面に設けられた管接続部によって、ボックス内の配管を意識することなく、容易に配管を行うことが可能となり、配管工数も減るため、複数の管の配管を安価に行える。
【図面の簡単な説明】
【図１】本発明の実施の形態における配管ユニットを利用した配管例を示す概略図である。
【図２】図１の配管の系統図である。
【図３】配管ユニットの詳細を示し、（ａ）は正面透視図、（ｂ）は右側面透視図である。
【図４】配管ユニットの詳細を示し、（ａ）は正面透視図、（ｂ）は右側面透視図である。
【図５】配管ユニットの詳細を示し、（ａ）は正面透視図、（ｂ）は右側面透視図である。
【符号の説明】
１  水道メータ
２  給湯器
３ａ，３ｂ，３ｃ  混合栓
４  水栓
５，６，７  配管ユニット
１０  主給水管路
１１，１２，１３，１４  給水管路
２０  主給湯管路
２１，２２，２３  給湯管路
３０，３１，３２，３３，３４  ダクト
５０，６０，７０  ボックス
５１ａ，５１ｂ，５２ａ，５２ｂ，５３，５４，６１ａ，６１ｂ，６２ａ，６２ｂ，６３，７１ａ，７１ｂ，７２ａ，７２ｂ  ストレート管
５５，５６，６４  変形チーズ管
５５ａ，５６ａ，６４ａ，６５ａ，７３ａ，７４ａ  扁平流路部
５７ａ，５７ｂ，５７ｃ，６６ａ，６６ｂ，６６ｃ，７５ａ，７５ｂ  管接続部
６５  変形ストレート管
７３，７４  変形エルボ管
【図１】
2004332870.tif 000003
【図２】
2004332870.tif 000004
【図３】
2004332870.tif 000005
【図４】
2004332870.tif 000006
【図５】
2004332870.tif 000007